(57)【要約】【課題】  この考案は、帽子本体の全周に鍔を設けた帽子の着用者が、時に応じ、日射しを遮るために鍔を広げた状態として着用し、前方の視界を得るために前方の鍔を立ち上がらせた状態で着用できるように、鍔の態様を変化できる帽子を得ることを課題とするものである。【課題手段】この考案は、帽子本体１の全周に鍔２を有し、帽子本体と鍔との双方の両側に鍔を立ち上がり状態に保持するための固定具を設けた帽子において、帽子本体に設けた固定具３の位置よりも鍔に設けた固定具４の位置を帽子本体の前方側としたものである。  ここにおける固定具とは、スナップの雄と雌、ボタンとその受け穴、面ファスナーが代表的であるが、これに限られない。要は、鍔を立ち上がり状態で帽子本体に固定できるものであればよい。【選択図】  図１
0003120883.tif 000002
【実用新案登録請求の範囲】
【請求項１】
帽子本体の全周に鍔を有し、帽子本体と鍔との双方の両側に鍔を立ち上がり状態に保持するための固定具を設けた帽子において、
帽子本体に設けた固定具の位置よりも鍔に設けた固定具の位置を帽子本体の前方側とした帽子
【請求項２】
鍔に設けた固定具は、帽子本体の前後方向の中心線を軸として帽子本体の固定具の位置に対応する位置よりも前方に向けて、複数設けた、請求項１記載の帽子
【請求項３】
固定具は、スナップの雄と雌、ボタンとその受け穴、面ファスナーとした、請求項１又は２に記載の帽子
【請求項４】
帽子本体の正面と鍔の正面とに補助固定具を設けた請求項１ないし３の何れかに記載の帽子
【請求項５】
鍔は、前方よりも後方を幅広とした、請求項１ないし３の何れかに記載の帽子
【考案の詳細な説明】
【技術分野】
【０００１】
この発明は、帽子本体の全周に鍔を設けた鍔付帽子において、前方の視界を広げることのできる帽子に関するものである。
【背景技術】
【０００２】
従来、帽子本体に設けた鍔を立ち上がり状態に保持するようにした帽子は、テンガロンハットと呼ばれるものとして広く知られている。
テンガロンハットは鍔の正面視両側を立ち上がらせたものであって、鍔を立ち上がらせた状態に保持するために、左右両側の鍔を紐で結んだり、帽子本体と鍔とにスナップなどの固定具を取り付けている。
このいわゆるテンガロンハットにおいて、帽子本体側のスナップと鍔のスナップとはスナップは帽子本体の前後を結ぶ中心線を軸として対称の位置に取り付けられている。
そして、テンガロンハットは正面視両側の鍔を立ち上がらせるものであって、正面側の鍔は正面側に突出した状態でって、上記対称位置で帽子本体と鍔とが固定されるので上向きにはならないし、前方の鍔が上向きになることは期待されていない。
【０００３】
鍔付帽子の使用態様を考えると、前方の鍔に日射しを遮る機能が期待される場合もあるが、逆に鍔があるために前方の視界が遮られて支障を来す場合もある。上記テンガロンハットはこの点を全く考慮しないものであった。
【特許文献１】実開昭６４ー２０２６号公報
【０００４】
上記公報には、帽子本体に設けた鍔に折り目を形成し、鍔の裏面に所定の表示を施した帽子に関する考案が開示されている。
しかしながら、上記考案は前方にのみ鍔が設けられた帽子において鍔を立ち上がらせるために折り目を形成したものであり、これを帽子本体の全周に鍔を設けた帽子に適用することはできない。
【考案の開示】
【考案が解決しようとする課題】
【０００５】
この考案は、帽子本体の全周に鍔を設けた帽子の着用者が、時に応じ、日射しを遮るために鍔を広げた状態として着用し、前方の視界を得るために前方の鍔を立ち上がらせた状態で着用できるように、鍔の態様を変化できる帽子を得ることを課題とするものである。
【課題を解決するための手段】
【０００６】
請求項１の考案は、帽子本体の全周に鍔を有し、帽子本体と鍔との双方の両側に鍔を立ち上がり状態に保持するための固定具を設けた帽子において、帽子本体に設けた固定具の位置よりも鍔に設けた固定具の位置を帽子本体の前方側としたものである。
ここにおける固定具とは、請求項３に掲げたスナップの雄と雌、ボタンとその受け穴、面ファスナーが代表的であるが、これに限られない。要は、鍔を立ち上がり状態で帽子本体に固定できるものであればよい。
前記「前方側」とは帽子本体の前後方向の中心線を軸として帽子本体の固定具の位置に対応する位置を基準としたものである。そして固定具は、帽子本体の前後方向の中心線を軸として帽子本体の固定具の位置に対応する位置よりも前方に向けて複数設けることもできる（請求項２）。
上記に加えて、帽子本体の正面と鍔の正面とに補助固定具を設けることもできる（請求項４）。
【考案の効果】
【０００７】
この考案によれば、帽子本体の固定具と鍔の固定具とを固定させた場合、帽子本体の全周に設けられた鍔は前方が上向き傾斜の状態で保持される。したがって、前方視界を欲する場合には帽子本体と鍔とを固定具で固定することにより、前方の鍔を上向き傾斜に保持することができ、前方視界を確保することができる。
【考案を実施するための最良の形態】
【０００８】
図１において、帽子本体１の周縁に全周に亘り鍔２が設けてあり、鍔２は前方側の幅Ｗ１よりも後方側の幅Ｗ２を幅広としてある。
前記帽子本体１の両側中央下部に雌スナップ３が取り付けてあり、鍔２の周縁側に前記スナップ３と嵌合する雄スナップ４が取り付けてある。前記帽子本体の２つのスナップ３，３は帽子本体の平面視直径線Ｌ上に位置しており、鍔のスナップ４は前記直径線Ｌよりも僅かに（例えば１センチ）前方側に取り付けてある。
【０００９】
上記のように構成された帽子は、前方視界を確保しようとするときには前記スナップ３，４を嵌合させて鍔２の側部を立ち上がらせた状態に固定し、次いで鍔２の前方部分を上方にそり上がらせる。
この帽子においては上記の通り鍔のスナップ４が帽子本体のスナップ３よりも前方側に取り付けてあるので、スナップ３，４を嵌合させたとき、鍔２は前方が僅かに上を向いた状態となる。そのために鍔２の前方部分を無理なく上方へそり上がらせることができ、前方視界を確保することができる。
【００１０】
また、この実施形態においては鍔２の後方側を前方側よりも幅広としてあるので、後方からの日射しを効果的に遮断することができる。
【００１１】
上記実施形態においては、鍔２を立ち上がり状態に保持するための固定具としてスナップを用いたが、固定具としてはスナップの他ボタンとボタン穴の組合せや面ファスナーを用いることができる。
また、帽子本体１のスナップ３を帽子本体の平面視直径線Ｌ上に配設したので、鍔のそり上がり状態は無理のない自然なカーブを描くので好ましいが、この位置に限られるものではない。帽子本体１の固定具よりも鍔２の固定具が相対的に前方側に位置すれば、鍔の前方側が上向きになるという効果を得ることができる。
【００１２】
また、以下の構成を採用することにより、鍔の上がり具合を調整することができる。  ア）鍔２に複数の固定具を、帽子本体１の固定具よりも前方側に、鍔の周縁にそって複数設ける。又は数センチの長さの帯状の面ファスナーを鍔の周縁にそって取り付ける。
イ）帽子本体１に複数の固定具を縦に配設する。又は数センチの長さの帯状の面ファスナーを縦に取り付ける。
ウ）上記ア）イ）の組合せ。
【００１３】
上記に加え、帽子本体１の正面及び鍔２の正面側上面にスナップなどの固定具を取り付けることにより、鍔２の正面側を帽子本体に沿った状態に保持することができ、一層の視界確保が可能となる。
【産業上の利用可能性】
【００１４】
この考案は、鍔付帽子において前方視界を確保することができるものであり、産業上の利用可能性を有するものである。
【図面の簡単な説明】
【００１５】
【図１】この考案実施形態の平面図
【図２】同じく斜視図
【図３】同じくスナップを固定した状態の側面図
【図４】同じくスナップを固定し鍔の前方側をそり上げた状態の斜視図
【符号の説明】
【００１６】
１    帽子本体
２    鍔
３    雌スナップ
４    雄スナップ
Ｗ１  鍔の先方側の幅
Ｗ２  鍔の後方側の幅
Ｌ    平面視直径線
【図１】
0003120883.tif 000003
【図２】
0003120883.tif 000004
【図３】
0003120883.tif 000005
【図４】
0003120883.tif 000006